(57)【要約】【課題】ずれ落ちを確実に防止すること、適時に締め付けすること、及び、締め付け圧力を微調整することができるとともに、安価に製造することができるレインパンツをを提供する。【解決手段】本発明に係るレインパンツ１は、締め付けバンド１３、１４を含む。締め付けバンド１３、１４は、内径寸法Ｄ１３、Ｄ１４の縮小、及び、拡大が調節自在であって、脚挿通部１１、１２において、着用者３の大腿部３０に相当する部分１１０、１２０に取り付けられている。【選択図】図１
2008190082.tif 000002
【特許請求の範囲】
【請求項１】
締め付けバンドを含むレインパンツであって、
前記締め付けバンドは、内径寸法の縮小、及び、拡大が調節自在であって、脚挿通部において、着用者の大腿部に相当する部分に取り付けられている、
レインパンツ。
【請求項２】
請求項１に記載されたレインパンツであって、さらに第２の締め付けバンドを有しており、
前記第２の締め付けバンドは、内径寸法の縮小、及び、拡大が調節自在であって、脚挿通部において、着用者の膝頭の下側に相当する部分に取り付けられている、
レインパンツ。
【発明の詳細な説明】
【技術分野】
【０００１】
本発明は、防水性を有する生地で作られ、下半身に着用されるレインパンツに関する。
【背景技術】
【０００２】
レインウエア（雨着）は、一般に、ナイロン（nylon）や、ポリエステル (Polyester)等の合成樹脂繊維を用いた防水性を有する生地で作られており、その縫製態様に応じて、レインコートと、レインスーツとに大別することができる。
【０００３】
レインコートは、例えば特許文献１に示されているように、上半身に羽織ることにより、全身を覆うものである。この種のレインコートは、着脱が容易であるとともに安価に製造することができるから、買い物や通勤など比較的短時間での外出の際に用いる日用品として広く普及している。
【０００４】
他方、レインスーツは、例えば特許文献２に示されているように、上半身に羽織るジャケットの他に、下半身に穿くズボン（レインパンツ）を有している。この種のレインスーツは、前裾が肌蹴て下半身が濡れることがあったレインコートとは異なり、下半身がレインパンツによって完全に覆われているから、着用中に着用者が激しい動作をしたとしても、下半身の防水性を確保することができる。そのため、この種のレインスーツは、トレッキングなどの本格レジャー用雨具、及び、建築工事などの業務用雨具として広く用いられている。
【０００５】
ところで、この種のレインパンツは、通常、普段着の上に重ねて着用されるから、予めウエスト部分の締め付けに余裕を設けていることが多い。このため、着用中の着用者の動作により、レインパンツのウエスト部分が若干ずれ落ちてしまい、ずれ落ちによって生じる弛みの影響で、着用者が動き難くなるという不具合が生じる。この不具合は、レインパンツのウエスト部分を元の位置まで引き上げることにより一応は解消することができるものの、レインパンツがずれ落ちる度に、このような引き上げ操作を行うことは面倒である。
【０００６】
そこで、従来は、上述したレインパンツのずれ落ち自体を回避するため、粘着テープを脚挿通部上に巻装して、締め付ける方法が採られていた。しかし、このような方法では、レインパンツを着脱する度に粘着テープを巻き直さなければならず、極めて面倒である。また、着脱の度に脚挿通部の同一箇所に対して粘着テープを何度も巻き直すことになるから、巻装箇所の生地の表面に損傷が生じ易く、防水性が損なわれる。さらに、一旦、粘着テープを巻き始めると、事後に締め付け圧力を調整することができないから不便である。
【０００７】
他方、特許文献３に示されているように、所謂サスペンダーを用いてレインパンツを吊り下げることにより、上述したずれ落ちを回避することも可能ではある。しかし、サスペンダーを用いた構成によると、その分だけコスト高を招く。
【特許文献１】特開２００６−２９９４９５号公報
【特許文献２】特開２００２−１４６６０４号公報
【特許文献３】特開２００１−２１４３０９号公報
【発明の開示】
【発明が解決しようとする課題】
【０００８】
本発明の課題は、ずれ落ちを確実に防止することができるレインパンツを提供することである。
【０００９】
本発明のもう１つの課題は、適時に締め付けすることができるとともに、締め付け圧力を微調整することができるレインパンツを提供することである。
【００１０】
本発明の更にもう一つの課題は、安価に製造することができるレインパンツを提供することである。
【課題を解決するための手段】
【００１１】
上述した課題を解決するため、本発明に係るレインパンツは、締め付けバンドを含む。締め付けバンドは、内径寸法の縮小、及び、拡大が調節自在であって、脚挿通部において、着用者の大腿部に相当する部分に取り付けられている。
【００１２】
上述したように、本発明に係るレインパンツは、内径寸法の縮小、及び、拡大が調節自在な締め付けバンドが、脚挿通部に取り付けられている。この構成によると、脚挿通部に着用者の脚が挿通された状態で、バンドの内径寸法を縮小調節することにより、締め付けバンドが、着用者の脚に対して脚挿通部の一部（生地）を締め付けし、生地自体の動きが規制される。従って、レインパンツのずれ落ちを防止することができる。
【００１３】
本発明に係るレインパンツは、締め付けバンドの取り付け位置に工夫を加えた点に特徴の一つがある。即ち、締め付けバンドは、脚挿通部において、着用者の大腿部に相当する部分に取り付けられている。この構成によると、締め付けバンドは、着用者のウエストに近い箇所に取り付けられているから、着用中の着用者の動作により、レインパンツのウエスト部分が、着用者のウエストからずれ落ちようとしたとしても、このずれ落ちを防止することができる。
【００１４】
さらに、締め付けバンドは、脚挿通部において、着用者の大腿部に相当する部分、即ち、着用者の股下から膝頭の上側までの間に相当する部分に取り付けられている。この構成によると、股下から足首にかけて先細りに細くなる人体一般の脚形状において、唯一存在する膝頭の膨らみ（凸形状）に対して、縮小された締め付けバンドを掛け止めることができる。従って、レインパンツのずれ落ちを、確実に防止することができる。
【００１５】
上述したように、締め付けバンドは、主として内径寸法を縮小調節することにより生じる締め付け圧力（押し圧力）によってレインパンツのずれ落ちを防止する構成であるから、生地に対する損傷が生じる不都合を回避することができる。従って、長期間に渡って高い防水性を維持しうるレインパンツを提供することができる。また、製品寿命が伸びることにより、実質的なコスト削減が可能なレインパンツを提供することができる。
【００１６】
しかも、本発明に係るレインパンツにおいて、締め付けバンドは、パンツのずれ落ちを防止するための機構であって、防水性自体は、レインパンツを構成する生地によって確保されている。従って、本発明に係るレインパンツをはく場合、着用者は、予め締め付けバンドの内径寸法を拡大させておくだけで、締め付けバンドの無い従来のレインパンツをはくときと同様に、迅速に着用することができる。
【００１７】
締め付けバンドは、内径寸法の縮小、及び、拡大が調節自在であるから、締め付けバンドの内径寸法を拡大し、締め付け圧力を緩める操作をすることにより、締め付けバンドによる締め付け状態を解除することができる。従って、例えば、休憩時間などに容易に脱ぐことができるなど、適時に締め付け可能なレインパンツを提供することができる。
【００１８】
締め付けバンドは、内径寸法の縮小、及び、拡大が調節自在であるから、径寸法の縮小、及び、拡大を自在に微調節すること、及び、適当な締め付け圧力に設定することができる。従って、優れた防水性を有するとともに、着心地のよいレインパンツを提供することができる。
【００１９】
締め付けバンドは、脚挿通部において、着用者の大腿部に相当する部分に取り付けられているから、安価に製造することができる。
【００２０】
本発明の他の目的、構成及び利点については、添付図面を参照し、更に詳しく説明する。添付図面は、単に、例示に過ぎない。
【発明の効果】
【００２１】
以上述べたように、本発明によれば、次のような効果を得ることができる。
（１）ずれ落ちを確実に防止することができるレインパンツを提供することができる。
（２）適時に締め付けすることができるとともに、締め付け圧力を微調整することができるレインパンツを提供することができる。
（３）安価に製造することができるレインパンツを提供することができる。
【発明を実施するための最良の形態】
【００２２】
図１は、本発明の一実施形態に係るレインパンツを示す正面図である。図１に示すレインパンツ１は、ナイロン（nylon）や、ポリエステル (Polyester)等の合成樹脂繊維を用いた防水性を有する生地で作られており、２つの脚挿通部１１、１２を含む。脚挿通部１１、１２は、それぞれ筒状であって、着用時に着用者３の脚が挿通される。
【００２３】
さらに、レインパンツ１は、脚挿通部１１に締め付けバンド１３を有し、脚挿通部１１、１２に締め付けバンド１４を有している。締め付けバンド１３は、脚挿通部１１において、着用者３の大腿部３０に相当する部分１１０に取り付けられている。図１に示す締め付けバンド１３は、脚挿通部１１の外周面上において、着用者３の股下から膝頭３１の近傍までの間（大腿部３０）に相当する部分、より好ましくは着用者３の膝頭３１の上側に相当する部分に配置され、脚の挿通方向Ｘに交差する方向Ｙに沿って環状に取り付けられている。
【００２４】
締め付けバンド１３は、内径寸法Ｄ１３の縮小が調節自在であって、内径寸法Ｄ１３を縮小させた状態で、脚挿通部１１の生地とともに、バンド内部を通過している着用者３の大腿部３０を締め付けする。即ち、締め付けバンド１３の内径寸法Ｄ１３は、バンドを縮小させた状態で大腿部３０の直径寸法Ｄ３０以下に調節することができる。他方、締め付けバンド１３は、内径寸法Ｄ１３の拡大が調節自在であって、内径寸法Ｄ１３を拡大させた状態で、大腿部３０の直径寸法Ｄ３０より大きくすることができる。
【００２５】
締め付けバンド１４は、締め付けバンド１３と同じものを用いることができる。以下、簡単に説明すると、締め付けバンド１４は、脚挿通部１２において、着用者３の大腿部３０に相当する部分１２０に取り付けられている。締め付けバンド１４は、内径寸法Ｄ１４の縮小、及び、拡大が調節自在であって、内径寸法Ｄ１４を縮小させた状態で、大腿部３０の直径寸法Ｄ３０以下に調節することができ、内径寸法Ｄ１４を拡大させた状態で、大腿部３０の直径寸法Ｄ３０より大きくすることができる。
【００２６】
図１に示した締め付けバンド１３、１４の具体的な実施形態について、さらに図２及び図３を参照して説明する。図２は図１において二点鎖線で示した領域Ａを拡大して示す部分正面図、図３は図２に示したレインパンツの締め付け状態を示す部分正面図である。図２及び図３において、図１に示した構成部分と同一の構成部分には、同一の参照符号を付す。
【００２７】
まず、図２を参照すると、本発明の一実施形態に係るレインパンツ１は、複数のバンド挿通部１５と、締め付けバンド１３（１４）とを有している。バンド挿通部１５は、所謂ベルトループであって、複数が脚挿通部１１（１２）の外周面上において、着用者３の大腿部３０に相当する部分１１０（１２０）、より好ましくは着用者３の膝頭３１の上側に相当する部分に配置され、脚の挿通方向Ｘに交差する方向Ｙに沿って、間隔を隔てて断続的に取り付けられている。
【００２８】
締め付けバンド１３（１４）は、複数のバンド挿通部１５に対して、連続して挿通されており、一端１３１（１４１）と、他端１３２（１４２）とが、膝頭３１の前面で結び付けられていることにより、レインパンツ１に取り付けられている。
【００２９】
図２に示した状態では、締め付けバンド１３（１４）の内径寸法Ｄ１３（Ｄ１４）が、大腿部３０の直径寸法Ｄ３０より大きく、脚挿通部１１（１２）には、締め付けバンド１３（１４）から何らの締め付け圧力が加えられていない。従って、着用者は、締め付けバンド１３（１４）のない従来のレインパンツと同様に着用すること、及び、着脱することができる。
【００３０】
次に、図３を参照すると、図２に示した状態から締め付けバンド１３（１４）の一端１３１（１４１）と、他端１３２（１４２）とを引き絞り、この引き絞った位置で、両者を結び付けることにより、締め付けバンド１３（１４）の内径寸法Ｄ１３（Ｄ１４）が、大腿部３０の直径寸法Ｄ３０以下まで縮小調節される。そして、この縮小調節により、着用者３の膝頭３１の上側に相当する部分１１０（１２０）において、締め付けバンド１３（１４）が取り付けられている部分の脚挿通部１１（１２）が絞られる。
【００３１】
図１乃至図３を参照して説明したように、本発明の実施形態に係るレインパンツ１は、上述した雨具として一般的に求められる防水性に加え、ずれ落ちを防止するため、締め付けバンド１３（１４）の取り付け位置に工夫を加えた点に特徴の一つがある。即ち、レインパンツ１は、内径寸法Ｄ１３（Ｄ１４）の縮小、及び、拡大が調節自在な締め付けバンド１３（１４）が、脚挿通部１１（１２）において、脚の挿通方向Ｘに交差する方向Ｙに沿って環状に取り付けられている。この構成によると、脚挿通部１１（１２）に着用者３の脚が挿通された状態で、バンド１３（１４）の内径寸法Ｄ１３（Ｄ１４）を縮小調節することにより、締め付けバンド１３（１４）が、着用者３の脚に対して脚挿通部１１（１２）の一部（生地）を締め付けし、これにより生地自体の動きが規制される。従って、レインパンツ１のずれ落ちを防止することができる。
【００３２】
さらに、締め付けバンド１３（１４）は、脚挿通部１１（１２）において、着用者３の大腿部３０に相当する部分１１０（１２０）に取り付けられている。この構成によると、締め付けバンド１３（１４）は、着用者３のウエストに近い箇所に取り付けられているから、着用中の着用者３の動作により、レインパンツ１のウエスト部分が、着用者３のウエストからずれ落ちようとしたとしても、このずれ落ちを防止することができる。
【００３３】
しかも、締め付けバンド１３（１４）は、着用者３の大腿部３０に相当する部分１１０（１２０）、即ち、股下から膝頭３１の上側までの間に相当する部分１１０（１２０）に取り付けられている。この構成によると、股下から足首にかけて先細りに細くなる人体一般の脚形状において、唯一存在する膝頭３１の膨らみ（凸形状）に対して、縮小された締め付けバンド１３（１４）を掛け止めることができる。従って、レインパンツ１のずれ落ちを、確実に防止することができる。
【００３４】
上述したずれ落ち防止の具体例について、例えば、図４に示したように、レインパンツ１の脚挿通部１１、１２には、着用中の着用者３の歩行動作により、地球の重力の作用や、大腿部３０と裏地生地との接触に伴う摩擦力が生じ、この作用により、脚挿通部１１、１２のそれぞれが矢印Ｍ１で示す方向に引っ張られ、ずれ落ちようとする。このＭ１方向へのずれ落ちに対して、膝頭３１の上側において、締め付けバンド１３、１４が、大腿部３０に対して生地を締め付けることにより、生地自体の動きが規制される。
【００３５】
同様に、図５に示したように、レインパンツ１の脚挿通部１１、１２には、着用中の着用者３のしゃがみ動作により、地球の重力や、大腿部３０、及び、臀部と裏地生地との接触に伴う摩擦力が生じ、この作用により、脚挿通部１１、１２のそれぞれが矢印Ｍ２、Ｍ３で示す方向に引っ張られ、ずれ落ちようとする。このＭ２、Ｍ３方向へのずれ落ちに対して、締め付けバンド１３、１４が、膝頭３１の上側の大腿部３０に対して生地を締め付けることにより、生地自体の動きが規制される。
【００３６】
図１乃至図５を参照して説明したように、本発明の一実施形態に係るレインパンツ１の締め付けバンド１３、１４は、内径寸法Ｄ１３、Ｄ１４の縮小、及び、拡大が調節自在であって、脚挿通部１１、１２において、着用者３の大腿部３０に相当する部分１１０、１２０に取り付けられているから、着用者３がレインパンツ１を着用し、脚挿通部１１、１２に脚を挿通した状態で、バンドの内径寸法Ｄ１３、Ｄ１４を縮小調節することにより、大腿部３０を締め付けることができる。従って、着用中の着用者３の動作により、レインパンツ１のウエスト部分が、着用者３のウエストからずれ落ちようとしたときに、大腿部３０に対する締め付けバンド１３、１４の締め付け圧力により、レインパンツ１のずれ落ちを確実に防止することができる。
【００３７】
締め付けバンド１３、１４は、内径寸法Ｄ１３、Ｄ１４を、脚部の直径寸法Ｄ３０以下まで縮小調節することにより、バンド内径部分を通過している着用者３の大腿部３０を締め付ける。即ち、締め付けバンド１３、１４は、主として締め付け圧力によってレインパンツ１のずれ落ちを防止する構成であるから、粘着テープを巻装していた従来技術とは異なり、脚挿通部１１、１２の生地に対する損傷が生じる不都合を回避することができる。従って、長期間に渡って高い防水性を維持し、実質的なコスト削減を図ることができるレインパンツ１を提供することができる。
【００３８】
しかも、締め付けバンド１３、１４は、パンツのずれ落ちを防止するための機構であって、防水性自体は、レインパンツ１を構成する生地素材によって確保されている。従って、レインパンツ１をはく時は、着用者３は、予め締め付けバンド１３、１４の内径寸法Ｄ１３、Ｄ１４を拡大させておくだけで、締め付けバンド１３、１４の無い従来のレインパンツ１をはくときと同様に、脚挿通部１１、１２に脚を通すことができる。即ち、本発明の一実施形態に係るレインパンツ１の構成によると、所謂サスペンダーを用いてレインパンツ１を吊り下げしていた従来技術（特許文献３）とは異なり、迅速に着用することができる。
【００３９】
締め付けバンド１３、１４は、内径寸法Ｄ１３、Ｄ１４の縮小、及び、拡大が調節自在であるから、締め付けバンド１３、１４の径寸法を、大腿部３０の直径寸法Ｄ３０よりも拡大し、締め付け圧力を緩める操作をすることにより、締め付けバンド１３、１４による締め付け状態を解除することができる。従って、粘着テープを巻装していた従来技術とは異なり、例えば、休憩時間などに容易に脱ぐことができるなど、適時に締め付け可能なレインパンツ１を提供することができる。
【００４０】
締め付けバンド１３、１４は、内径寸法Ｄ１３、Ｄ１４の縮小、及び、拡大が調節自在であるから、径寸法の縮小、及び、拡大を自在に微調節することにより、適当な締め付け圧力に設定することができる。従って、粘着テープを巻装していた従来技術とは異なり、優れた防水性を有するとともに、着心地のよいレインパンツ１を提供することができる。
【００４１】
締め付けバンド１３、１４は、脚挿通部１１、１２において、着用者３の大腿部３０に相当する部分１１０（１２０）に取り付けられているから、所謂サスペンダーを用いてレインパンツ１を吊り下げしていた従来技術（特許文献３）とは異なり、安価に製造することができる。
【００４２】
図６乃至図８は、本発明の更にもう一つの実施形態に係るレインパンツについて、一部を省略して示す拡大正面図である。図６乃至図８において、図１乃至図５に図示した構成部分と同一の構成部分には、同一の参照符号を付す。
【００４３】
図６乃至図８に示す実施形態に係るレインパンツ１のバンド挿通部１５は、膝頭の正面部分に開放箇所１５０を有する袋状であって、脚挿通部１１（１２）の外周面上において、着用者の大腿部に相当する部分に配置され、脚の挿通方向Ｘに交差する方向Ｙに沿って取り付けられている。締め付けバンド１３（１４）は、開放箇所１５０からバンド挿通部１５の内部に挿通される。この構成によると、締め付けバンド１３（１４）の脱落を確実に防止しうるとともに、外見上のデザイン性を向上させることができる。
【００４４】
さらに、締め付けバンド１３（１４）の具体的態様について、図６を参照すると、締め付けバンド１３（１４）は、所謂バックル機構１６を有し、一端１３１（１４１）側に美錠１６１と、ツク棒１６２を有し、他端１３２（１４２）側に複数の貫通孔１６３を有し、これらの有機的結合によって掛け止められている。締め付けバンド１３（１４）の内径寸法Ｄ１３（Ｄ１４）は、ツク棒１６２と貫通孔１６１との掛止位置を選択することにより、適時に調節することができる。
【００４５】
図７に示す実施形態を参照すると、締め付けバンド１３（１４）は、一端１３１（１４１）側に雄型面ファスナー１７１と、雌型面ファスナー１７２とを有しており、一端１３１（１４１）を折り返しリング１７３で折り返すことにより、雄型面ファスナー１７１と、雌型面ファスナー１７２とが結合される。締め付けバンド１３（１４）の内径寸法Ｄ１３（Ｄ１４）は、一端１３１（１４１）の折り返し長さ寸法を調節することにより、適時に調節することができる。
【００４６】
図８に示す実施形態を参照すると、締め付けバンド１３（１４）は、一端１３１（１４１）に雄型嵌合片１８１が取り付けられ、他端１３２（１４２）に雌型嵌合片１８２が取り付けられ、両者の凹凸嵌合によって掛け止められている。締め付けバンド１３（１４）の内径寸法Ｄ１３（Ｄ１４）は、締め付けバンド１３（１４）の長さ寸法を選択することにより、適時に調節することができる。
【００４７】
図６乃至図８を参照して説明したレインパンツ１の実施形態は、いずれも図１乃至図５を参照して説明したレインパンツ１と同様に、内径寸法Ｄ１３（Ｄ１４）の縮小、及び、拡大が調節自在な締め付けバンド１３（１４）が、脚挿通部１１（１２）において、着用者の大腿部に相当する部分に取り付けられているから、図１乃至図５を参照して説明したレインパンツ１の利点を全て有することができる。
【００４８】
さらに、締め付けバンド１３（１４）は、図６乃至図８を参照して説明したような、何らかの留め具を有する構成によると、掛止効果の信頼性、及び、掛止操作の容易性を向上させることができる。
【００４９】
図９は、本発明の更にもう一つの実施形態に係るレインパンツを示す正面図である。図９において、図１乃至図８と同一の構成部分には、同一の参照符号を付す。
【００５０】
図９に示すように、本発明の実施形態に係るレインパンツ１は、レインジャケット４と組み合わされて、所謂レインスーツとして用いることができる。なお、レインジャケット４は、当該技術分野において、周知の構成部分であるから、詳細は省略する。
【００５１】
さらに、図９を参照すると、レインパンツ１は、第２の締め付けバンド２３、２４を有している。第２の締め付けバンド２３、２４は、内径寸法Ｄ２３、Ｄ２４の縮小、及び、拡大が調節自在であって、脚挿通部１１、１２において、着用者３の膝頭３１の下側に相当する部分に取り付けられている。具体的に、第２の前記締め付けバンド１３、１４は、前記脚挿通部１１、１２において、着用時に着用者３の膝頭３１の下側に相当する部分から脹脛に相当する部分までの間に配置されている。
【００５２】
この構成によると、レインパンツ１は、脚挿通部１１、１２において、着用者３の膝頭３１の上側に相当する部分１１０、１２０に第１の締め付けバンド１３、１４を有するから、図１乃至図８を参照して説明した利点を全て有することができる上、脚挿通部１１、１２において、着用者３の膝頭３１の下側に相当する部分にも第２の締め付けバンド２３、２４を有するから、掛止効果の信頼性を向上させることができる。
【００５３】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００５４】
【図１】本発明の一実施形態に係るレインパンツを用いたレインスーツを示す正面図である。
【図２】図１において二点鎖線で示した領域を拡大して示す部分正面図である。
【図３】図２に示したレインパンツの締め付け状態を示す部分正面図である。
【図４】図１乃至図３に示したレインパンツの使用状態について、一部を省略して示す側面図である。
【図５】図１乃至図３に示したレインパンツの使用状態について、一部を省略して示す側面図である。
【図６】本発明のもう一つの実施形態に係るレインパンツについて、一部を省略して示す拡大正面図である。
【図７】本発明の更にもう一つの実施形態に係るレインパンツについて、一部を省略して示す拡大正面図である。
【図８】本発明の更にもう一つの実施形態に係るレインパンツについて、一部を省略して示す拡大正面図である。
【図９】本発明の更にもう一つの実施形態に係るレインパンツを示す正面図である。
【符号の説明】
【００５５】
１              レインパンツ
１１、１２      脚挿通部
１１０、１２０  着用者の大腿部に相当する部分
１３、１４      締め付けバンド
２３、２４      第２の締め付けバンド
３              着用者
３０            大腿部
【図１】
2008190082.tif 000003
【図２】
2008190082.tif 000004
【図３】
2008190082.tif 000005
【図４】
2008190082.tif 000006
【図５】
2008190082.tif 000007
【図６】
2008190082.tif 000008
【図７】
2008190082.tif 000009
【図８】
2008190082.tif 000010
【図９】
2008190082.tif 000011